(57)【特許請求の範囲】
【請求項１】
臭い成分を吸着する多孔質物体を含み通気性を有する土壌層と、通過する空気を光触媒に接触させて空気中の臭い成分を分解する光触媒フィルターと、前記土壌層、前記光触媒フィルターの順に空気を通過させる送風手段とを備え、前記土壌層の上方を覆い一部分に人が腰かけることが可能な座面を有するカバー部材が設けられた空気浄化装置。
【請求項２】
臭い成分を吸着する多孔質物体を含み通気性を有する土壌層と、通過する空気を光触媒に接触させて空気中の臭い成分を分解する光触媒フィルターと、前記土壌層、前記光触媒フィルターの順に空気を通過させる送風手段とを備え、前記土壌層の空気を吸い込む面または空気を吐き出す面に植物が植えられる空気浄化装置。
【請求項３】
請求項１または請求項２に記載の空気浄化装置において、前記光触媒フィルターは、前記送風手段による通気方向と交差して前記光触媒が層状に配置されている空気浄化装置。
【請求項４】
請求項１または請求項２に記載の空気浄化装置において、前記光触媒フィルターは、前記送風手段による通気経路中に前記光触媒が分散して配置されている空気浄化装置。
【請求項５】
請求項１ないし請求項４のいずれか１項に記載の空気浄化装置において、前記多孔質物体が粒状の活性炭である空気浄化装置。
【請求項６】
請求項１ないし請求項５のいずれか１項に記載の空気浄化装置において、前記土壌層の片面に隣接して前記送風手段の一部となる通気層が設けられ、この通気層に前記光触媒フィルターが設けられた空気浄化装置。
【請求項７】
請求項１ないし請求項５のいずれか１項に記載の空気浄化装置において、前記土壌層の片面に隣接して前記送風手段の一部となる通気層が設けられ、前記土壌層における前記通気層と異なる面に前記光触媒フィルターが設けられた空気浄化装置。
【請求項８】
請求項１ないし請求項７のいずれか１項に記載の空気浄化装置において、前記土壌層の空気を吸い込む面または空気を吐き出す面が壁面を成す空気浄化装置。
【請求項９】
請求項１ないし請求項７のいずれか１項に記載の空気浄化装置において、前記土壌層と、前記光触媒フィルターと、前記送風手段とを有する空気浄化ユニットを複数備え、これら複数の空気浄化ユニットが並んで配置された空気浄化装置。
【発明の詳細な説明】
【技術分野】
【０００１】
この発明は、煙草の煙等の臭い成分の強い汚れた空気を浄化して無臭化することのできる空気浄化装置に関する。
【背景技術】
【０００２】
汚染された空気を土壌に通すことで空気を浄化しつつ、土壌に植物を植えて緑化する技術が知られている（例えば、特許文献１，２，３）。また、自動車の排気ガスに含まれる窒素酸化物を対象として、汚れた空気を光触媒で反応させてから、土壌層に通すことで浄化する技術がある（特許文献４）。
【先行技術文献】
【特許文献】
【０００３】
【特許文献１】特開２０１４−６４５１７号公報
【特許文献２】特開２０１４−１１７２５３号公報
【特許文献３】特開２０１４−１３８５７７号公報
【特許文献４】特開平１１−２６７４６１号公報
【発明の概要】
【発明が解決しようとする課題】
【０００４】
従来の土壌に通気して浄化する技術は、一酸化炭素、窒素酸化物等の有害成分を除去することはできるが、煙草の臭い等の強い臭い成分を除去することができなかった。また、特許文献４のように、汚れた空気を土壌層に通す前に、予め光触媒で臭い成分を分解しておくと、臭い成分をかなり除去することができるが、完全に除去することはできない。
【０００５】
この発明の目的は、煙草の臭い等の強い臭い成分を有効に除去することができる空気浄化装置を提供することである。
【課題を解決するための手段】
【０００６】
この発明の空気浄化装置は、臭い成分を吸着する多孔質物体を含み通気性を有する土壌層と、通過する空気を光触媒に接触させて空気中の臭い成分を分解する光触媒フィルターと、前記土壌層、前記光触媒フィルターの順に空気を通過させる送風手段とを備える。前記送風手段は、例えば、送風機と、通気経路を構成する部材とで構成される。
【０００７】
この構成によると、送風手段により、汚れた空気を土壌層、光触媒フィルターの順に通過させることで、先に汚れた空気に含まれる臭い成分の多くが土壌層中の多孔質物体に吸着され、その後、残りの臭い成分が光触媒フィルターの光触媒によって分解される。光触媒による臭い成分の分解には時間を要するので、多量の臭い成分が存在すると完全には分解できないことがある。この構成のように、汚れた空気を土壌層、光触媒フィルターの順に通過させると、光触媒フィルターを通過する際の臭い成分の量が低減されているため、光触媒による臭い成分の分解が効果的に行われる。これにより、煙草の煙等の強い臭い成分もほぼ完全に除去することができる。このことは、試験により確認された。
前記構成において、前記土壌層の上方を覆い一部分に人が腰かけることが可能な座面を有するカバー部材が設けられた形態であっても良い。この形態であると、空気浄化装置を、ベンチとして室内や屋外で用いることができる。
前記構成において、前記土壌層の空気を吸い込む面または空気を吐き出す面に植物が植えられても良い。この場合、緑化による視覚的な癒し効果が得られる。
【０００８】
この発明において、前記光触媒フィルターは、前記送風手段による通気方向と交差して前記光触媒が層状に配置されていても良く、また前記送風手段による通気経路中に前記光触媒が分散して配置されていても良い。
いずれの場合も、通過する空気を光触媒に接触させて空気中の臭い成分を分解する作用が得られる。
【０００９】
この発明において、前記多孔質物体が粒状の活性炭であっても良い。
活性炭は、臭い成分を吸着する作用が大きい。活性炭を粒状とすることで、通気を損なわず、かつ通気によって活性炭が飛ばされることを防止できる。
【００１０】
この発明において、前記土壌層の片面に隣接して前記送風手段の一部となる通気層が設けられ、この通気層に前記光触媒フィルターが設けられていても良い。また、前記土壌層における前記通気層と異なる面に前記光触媒フィルターが設けられていても良い。
いずれであっても、同じように臭い成分を分解する効果が得られる。
【００１１】
この発明の空気浄化装置は、前記土壌層の空気を吸い込む面または空気を吐き出す面が壁面を成す形態であっても良い。
この形態であると、空気浄化装置を、喫煙室等の空気浄化が求められる空間の壁面に用いることができる。
【００１３】
さらに、この発明の空気浄化装置は、前記土壌層と、前記光触媒フィルターと、前記送風手段とを有する空気浄化ユニットを複数備え、これら複数の空気浄化ユニットが並んで配置された形態であっても良い。
この形態であると、複数の空気浄化ユニットをこの空気浄化装置が設置される空間の使用状況に合わせて任意に並べて配置することにより、空気浄化装置をパーティションとして用いることができる。
【発明の効果】
【００１５】
この発明の空気浄化装置は、臭い成分を吸着する多孔質物体を含み通気性を有する土壌層と、通過する空気を光触媒に接触させて空気中の臭い成分を分解する光触媒フィルターと、前記土壌層、前記光触媒フィルターの順に空気を通過させる送風手段とを備えるため、煙草の臭い等の強い臭い成分を有効に除去することができる。
前記構成において、前記土壌層の上方を覆い一部分に人が腰かけることが可能な座面を有するカバー部材が設けられた場合は、空気浄化装置を、ベンチとして室内や屋外で用いることができる。
また、前記構成において、前記土壌層の空気を吸い込む面または空気を吐き出す面に植物が植えられる場合は、緑化による視覚的な癒し効果が得られる。
【図面の簡単な説明】
【００１６】
【図１】この発明の一実施形態にかかる壁面型の空気浄化装置の斜視図である。
【図２】同壁面型の空気浄化装置の側面図である。
【図３】同壁面型の空気浄化装置の浄化機能にかかわる要素だけを取り出して表した模式図である。
【図４】同壁面型の空気浄化装置の他の例の模式図である。
【図５】同壁面型の空気浄化装置のさらに他の例の模式図である。
【図６】同壁面型の空気浄化装置のさらに他の例の模式図である。
【図７】この発明の異なる実施形態にかかるベンチ型の空気浄化装置の斜視図である。
【図８】同ベンチ型の空気浄化装置の（Ａ）縦断面図、（Ｂ）底面図である。
【図９】同ベンチ型の空気浄化装置の他の例の（Ａ）縦断面図、（Ｂ）底面図である。
【図１０】同ベンチ型の空気浄化装置のさらに他の例の（Ａ）縦断面図、（Ｂ）平面図である。
【図１１】この発明のさらに異なる実施形態にかかるパーティション型の空気浄化装置の斜視図である。
【図１２】（Ａ），（Ｂ）は同パーティション型の空気浄化装置の空気浄化装置の配置例を示す平面図である。
【図１３】同パーティション型の空気浄化装置の（Ａ）縦断面図、（Ｂ）横断面図である。
【図１４】同パーティション型の空気浄化装置の他の例の縦断面図である。
【図１５】同パーティション型の空気浄化装置のさらに他の例の縦断面図である。
【図１６】（Ａ），（Ｂ）は同パーティション型の空気浄化装置のさらに他の例の横断面図である。
【図１７】（Ａ），（Ｂ）は同パーティション型の空気浄化装置のさらに他の変形例の縦断面図である。
【図１８】（Ａ），（Ｂ）は同パーティション型の空気浄化装置のさらに他の例の横面図である。
【発明を実施するための形態】
【００１７】
この発明の一実施形態を図１ないし図３と共に説明する。
図１はこの空気浄化装置の斜視図、図２はその側面図である。なお、図１と図２とでは、空気浄化装置の構成要素の一部の配置が異なって表されている。この空気浄化緑化装置は壁面型であって、壁パネル状の土壌層収容枠体１と、この土壌層収容枠体１の背面側に土壌層収容枠体１と一体に設けられた上下の通気層形成枠体２，２と、これら土壌層収容枠体１および通気層形成枠体２，２に通気するための送風機３と、上下の通気層形成枠体２，２間、および下段の通気層形成枠体２と送風機３とを繋ぐダクト４，５とを備える。通気層形成枠体２、送風機３、およびダクト４，５で送風手段３Ａを構成する。
【００１８】
図２に示すように、土壌層収容枠体１の内部には土壌層６が設けられ、この土壌層６の正面側（図２の左側）の面に植物７が植えられている。土壌層６は、植物７の生育に必要な土壌材に多孔質物体を配合してある。多孔質物体としては、粒状の活性炭、多孔質シリカ等が適している。土壌材に多孔質物体を配合するのではなく、送風手段３Ａによる通気方向（図２の左右方向）に交差して多孔質物体を層状に配置しても良い。
【００１９】
前記土壌材としては、通気性のある軽量土壌が用いられる。具体的には、自然土壌の他に、バーク堆肥等の有機系土壌改良材、或いはパーライト等の無機系土壌改良材等の様々な一般に流通する資材を適宜組み合わせたものを用いる。これらの土壌材には、空気中の一酸化炭素や窒素酸化物等の有害成分を分解する微生物が棲息する。この種の微生物が棲息可能であれば、他にマット状やその他の形態の樹脂製のスポンジ状やフェルト状材、セラミック等を用いてもよい。
【００２０】
図１に示すように、土壌層６の植物７が植えられる面には、土壌材が土壌層収容枠体１の外へこぼれ落ちるのを防止するためのメッシュ材等の通気性部材８が設けられている。また、図２に示すように、土壌層６の上部には、灌水設備９が設けられている。灌水設備９は、例えば外周に複数の孔が開けられた管からなり、前記孔から水が出るタイプのものである。灌水設備９は、図示しない給水源に接続されている。
【００２１】
上下の通気層形成枠体２，２の内部は、中空状の通気層１０となっている。通気層１０は土壌層収容枠体１の背面と連通している。通気層１０内には、後述する光触媒フィルター１１および紫外線灯１２が設けられている。
【００２２】
送風機３は、内蔵のファン３ａを回転させることで、土壌層収容枠体１の正面側から空気を吸い込み、土壌層６、通気層１０，１０、およびダクト４，５を順に通り、送風機３の吹出し口３ｂから吹き出すように通気させる。図１では送風機３の上面から空気が吹き出され、図２では送風機３の側面から空気が吹き出されるようになっているが、空気浄化装置が設置される場所の状況に応じて空気の吹き出し方向を任意に選択することができる。
【００２３】
図３は、この壁面型の空気浄化装置の浄化機能にかかわる要素だけを取り出して模式的に表した側面図である。図の例の場合、前記光触媒フィルター１１が、土壌層収容枠体１と通気層１０との連通部に、通気方向と交差して層状に配置されている。光触媒フィルター１１は、通過する空気を光触媒に接触させて空気中の臭い成分を分解する作用を有する。光触媒としては、例えば酸化チタンが用いられる。光触媒の他に、適切な助触媒を併用することもある。
【００２４】
また、通気層１０には、光触媒フィルター１１の光触媒に紫外線を照射する紫外線灯１２が設けられている。紫外線灯１２が照射する紫外線はＵＶＡが好ましい。この場合の紫外線灯１２は、いわゆるブラックライトである。紫外線灯１２としては、専用の照明器具以外に、蛍光灯、ＬＥＤを使用することができる。通気層形成枠体２が石英ガラス等の透明で紫外線を透過する素材でできている場合、光触媒に照射する紫外線として太陽光を利用することができるので、紫外線灯１２を省くことができる。
【００２５】
この構成の空気浄化装置の作用を説明する。
送風手段３Ａで通気することにより、空気浄化装置の正面側の汚れた空気が土壌層収容枠体１内に吸い込まれる。この汚れた空気が土壌層６を通り抜ける過程で、土壌層６に棲む微生物によって一酸化炭素、窒素酸化物等の有害成分が分解される。また、汚れた空気に含まれる臭い成分の多くが、土壌層６に含まれる活性炭等の多孔質物体に吸着される。土壌層６を通過した空気は、光触媒フィルター１１を通る。その際、残りの臭い成分が光触媒フィルター１１の光触媒によって分解される。このようにして浄化されたきれいな空気が、送風機３の吹出し口３ｂから吹き出される。
【００２６】
上記のように、空気を土壌層６、光触媒フィルター１１の順に通過させることにより、臭い成分の除去が効果的に行われる。その理由は、次のように考えられる。すなわち、光触媒による臭い成分の分解には時間を要するため、臭い成分の量が多すぎると、光触媒で分解しきれない臭い成分が残ってしまう。この構成のように、予め多孔質物体に臭い成分の多くを吸着させておけば、光触媒フィルター１１を通過する臭い成分の量が低減されているため、光触媒により臭い成分を残さずに分解することができる。これにより、煙草の煙等の強い臭い成分もほぼ完全に除去することができる。
【００２７】
上記空気浄化装置による有害成分および臭い成分を除去する効果を確かめるために、以下の各試験を行った。
［有害成分を除去する効果の試験］
・参考例：０．２ｍ３の箱の中で煙草1本を燃焼させて得られた煙草煙
・比較例１：活性炭を配合した土壌を詰めたカラム（長さ１５０ｍｍ）に、参考例の煙草煙を通したもの
・実施例：比較例１の土壌に通した煙草煙３リットルを、ブラックライト点灯下で光触媒２ｇと２０分間反応させたもの
これらの参考例、比較例１、および実施例のそれぞれについて、アセトアルデヒド、アンモニア、酢酸の濃度を検知管で測定した。表１がその結果である。
【００２８】
【表１】
0006636291.tif 000002
【００２９】
活性炭を配合した土壌に煙草煙を通すだけで、アセトアルデヒド、アンモニア、酢酸を１００％除去することができた。
【００３０】
［臭い成分を除去する効果の試験］
上記参考例、比較例１、および実施例について、表２に示す６段階臭気強度表示法を用いた官能試験で臭いを評価した。併せて、下記の比較例２および比較例３についても、同様の官能試験で臭いを評価した。
・比較例２：参考例の煙草煙３リットルを、ブラックライト点灯下で光触媒２ｇと２０分間反応させたもの
・比較例３：比較例２の光触媒反応後の煙草煙を、活性炭を配合した土壌を詰めたカラム（長さ１５０ｍｍ）に通したもの
【００３１】
【表２】
0006636291.tif 000003
【００３２】
６段階臭気強度表示法を用いた臭い評価は、４人で行った。表３がその結果である。
【００３３】
【表３】
0006636291.tif 000004
【００３４】
この試験結果から、以下のことが分かった。
・活性炭を配合した土壌に煙草煙を通すだけでは、臭いを解消できない。
・煙草煙を土壌に通して光触媒に反応させることで、臭気強度を０（無臭）にまで低減できる。
・煙草煙を光触媒に反応させた後、土壌を通した場合（比較例３）は、臭気強度１となり、０にはできない。
・つまり、煙草煙を効率良く浄化して無臭にするには、空気を土壌→光触媒の順に流すことが肝心であると結論される。
【００３５】
図４は、光触媒フィルターの配置が異なる例を示す。この空気浄化装置は、光触媒フィルター１１が、図３のように土壌層収容枠体１と通気層１０との連通部ではなく、通気層１０内の上下複数箇所に配置されている。この場合も、光触媒フィルター１１は通気方向と交差する層状となっている。各光触媒フィルター１１に紫外線が照射されるように、隣合う２つの光触媒フィルター１１間に紫外線灯１２が１つずつ設けられている。
【００３６】
図５は、光触媒フィルターの異なる構成を示す。この空気浄化装置は、通気層１０内に多数の顆粒状または繊維状の光触媒１１ａが詰められていて、通気層１０全体が光触媒フィルター１１となっている。空気は、各光触媒１１ａの間の隙間を通って流れる。通気層１０内に複数の紫外線灯１２が分散して配置されている。光触媒１１ａは全体が光触媒材料からなっている必要はなく、担体の表面に光触媒材料を付着させたものであっても良い。その場合、担体の素材としては、紫外線を透過する性質のものか、または紫外線を反射して内部まで紫外線が届く性質のものであるのが望ましい。
【００３７】
他に、通気層１０の内面に塗料状にした光触媒を塗布して、通気層１０全体を光触媒フィルターとしてもよい（図示せず）。
【００３８】
図６は、送風機３の吸込み口３ｃから空気を吸い込み、土壌層６の正面側に空気を吹き出す構成とした例を示す。この空気浄化装置の場合、土壌層６の正面側の表面に、全体を覆うように層状の光触媒フィルター１１が設けられる。この光触媒フィルター１１には、植物（図示せず）を植えるための孔や切れ込みを形成しておく。土壌層収容枠体（図示せず）の上下に紫外線灯１２が取り付けられ、これらの紫外線灯１２により光触媒フィルター１１の表面を照射する。このように紫外線灯１２を空気浄化装置の外部に設置する場合、紫外線が周囲の人等になるべく当たらないように、紫外線灯１２として指向性の高いＬＥＤを用いるのが望ましい。紫外線灯１２を設けずに、紫外線の光源として太陽光を利用しても良い。
【００３９】
図７および図８はこの発明の異なる実施形態であるベンチ型の空気浄化装置を示す。図７は外観斜視図、図８は破断側面図および底面図である。
この空気浄化装置は、床面に設置され上下が開口した内側ケース１３と、この内側ケース１３の上側に被せられるカバー部材１４とを有する。この例では、内側ケース１３およびカバー部材１４の平面形状は長方形であり、カバー部材１４の一部分に人が腰かけることが可能な座面１５を有する。
【００４０】
図８に示すように、前記内側ケース１３の内部は、主室１６と副室１７とに分かれている。そして、主室１６の上部に土壌層６が配置されている。土壌層６の下側は通気層１０となっている。通気層１０は副室１７と連通している。副室１７には、送風機３、水タンク１８等が設けられている。送風機３が設けられている空間１７ａと水タンク１８が設けられている空間１７ｂは、仕切り板１７ｃによって仕切られている。送風機３、通気層１０、および空間１７ａにより、送風手段３Ａが構成される。
【００４１】
土壌層６としては、前記実施形態の土壌層６と同様の通気性のある軽量土壌が用いられ、これに活性炭等の多孔質物体が配合されている。土壌層６の上部には、灌水設備（図示せず）が設けられている。この灌水設備には、前記水タンク１８から水が供給される。
【００４２】
図７に示すように、前記カバー部材１４の上面部および側面部には、複数の空気吸込み口２０および空気吹出し口２１が設けられている。空気吸込み口２０は主室１６の上方または側方に位置し、空気吹出し口２１は副室１７の上方または側方に位置している。送風機３を駆動することで、空気吸込み口２０から空気を吸い込み、土壌層６、通気層１０、副室１７の空間１７ａを順に通り、空気吹出し口２１から吹き出すように通気させる。空気吸込み口２０からは、土壌層６に植えられた植物７が生え出ている。
【００４３】
図８の例の場合、土壌層６と通気層１０との境界部に、送風手段３Ａによる通気方向と交差して層状の光触媒フィルター１１が設けられている。また、通気層１０の底部に、光触媒フィルター１１に紫外線を照射する紫外線灯１２が設置されている。これら光触媒フィルター１１および紫外線灯１２は、前記実施形態と同様のものである。
【００４４】
送風手段３Ａで通気を行うことで、汚れた空気が空気吸込み口２０から吸い込まれ、浄化されたきれいな空気が空気吹出し口２１から吹き出される。具体的には、前記実施形態と同様に、汚れた空気が土壌層６を通り抜ける過程で、土壌層６に棲む微生物によって一酸化炭素、窒素酸化物等の有害成分が分解される。また、空気を土壌層６、光触媒フィルター１１の順に通過させることにより、汚れた空気に含まれる臭い成分の多くが、土壌層６に配合された多孔質物体に吸着され、かつ、光触媒フィルター１１の光触媒によって残りの臭い成分が分解されて、臭い成分が効果的に除去される。
【００４５】
図９は、光触媒フィルターの配置が異なる例を示す。この空気浄化装置は、光触媒フィルター１１が、図８の実施形態のように土壌層６と通気層１０との境界部ではなく、通気層１０内における通気方向の複数箇所に配置されている。この場合も、光触媒フィルター１１は通気方向と交差する層状である。各光触媒フィルター１１に紫外線が照射されるように、紫外線灯１２が複数個設けられている。
【００４６】
図１０は、図８、図９に示すベンチ型の空気浄化装置とは逆に、カバー部材１４の上面部および側面部における副室１７の上方または側方の位置に空気吸込み口２０が設けられ、主室１６の上方または側方の位置に空気吹出し口２１が設けられている。よって、送風機３を駆動することで、空気吸込み口２０から吸い込んだ空気が、通気層１０、土壌層６の順に通り、空気吹出し口２１から吹き出される。
【００４７】
この空気浄化装置の場合、土壌層６の外側の表面に光触媒フィルター１１が設けられる。光触媒フィルター１１には、植物（図示せず）を植えるための孔や切れ込みを形成しておく。カバー部材１４の天板部の裏面に紫外線灯１２が取り付けられ、これらの紫外線灯１２により光触媒フィルター１１の表面を照射する。紫外線灯１２からの紫外線が空気吹出し口２１から漏れ出ないように、紫外線灯１２として指向性の高いＬＥＤを用いるのが望ましい。
【００４８】
図１１ないし図１３はこの発明のさらに異なる実施形態であるパーティション型の空気浄化装置を示す。図１１は外観斜視図、図１２は配置例を示す平面図、図１３は縦断面図および横断面図である。
図１１に示すように、この空気浄化装置は、縦長の空気浄化ユニット３０が任意の設置ラインに沿って複数並べられ、全体でパーティションとして構成される。複数の空気浄化ユニット３０が互いに隣接するように配置されていても良いが、図１１のように隣合う空気浄化ユニット３０間に空気浄化ユニット３０以外の仕切り材３１が介在していても良い。また、空気浄化ユニット３０の設置ラインは、図１２（Ａ）のように曲線であっても良く、図１２（Ｂ）のように直線であっても良い。
【００４９】
図１３に示すように、各空気浄化ユニット３０は、土壌層６、光触媒フィルター１１、および紫外線灯１２を備え、それぞれが独立した空気浄化機能を有する。図１３の例の場合、土壌層６と通気層１０の境界部に、通気方向と交差して層状の光触媒フィルター１１が設けられ、通気層１０内に紫外線灯１２が設けられている。
【００５０】
送風機３と通気層１０とで送風手段３Ａが構成される。送風手段３Ａで通気することにより、汚れた空気が正面側（図の左側）から吸い込まれ、土壌層６および光触媒フィルター１１を通過する過程で浄化され、浄化後のきれいな空気が通気層１０の上下中央部から吹き出される。空気浄化のシステムは前記同様である。図１４のように、浄化後のきれいな空気が通気層１０の下部から吹き出されるように構成しても良い。
【００５１】
図１５のように、光触媒フィルター１１を通気層１０内の上下複数箇所に配置しても良い。光触媒フィルター１１は、送風手段３Ａによる通気方向と交差する層状である。各光触媒フィルター１１に紫外線が照射されるように、複数の紫外線灯１２が設けられている。
【００５２】
また、図１６（Ａ），（Ｂ）のように、送風手段３Ａの通気により、裏面（植物が植えられない面）側から空気を吸い込み、正面（植物が植えられる面）側に浄化された空気を吹き出す構成としても良い。この空気浄化装置の場合、土壌層６の正面側に光触媒フィルター１１が設けられる。光触媒フィルター１１には、植物を植えるための孔や切れ込みを形成しておく。紫外線灯１２は、図１６（Ａ）のように光触媒フィルター１１の外側に設置しても良く、図１６（Ｂ）のように光触媒フィルター１１の内側に設置しても良い。但し、光触媒フィルター１１の外側に紫外線灯１２を設置する場合、紫外線が周囲の人等になるべく当たらないように、紫外線灯１２として指向性の高いＬＥＤを用いるのが望ましい。光触媒フィルター１１の内側に紫外線灯１２を設置する場合は、紫外線灯１２をＬＥＤに限定する必要はない。
【００５３】
このように正面側に浄化された空気を吹き出す構成の場合、正面側の空間は、清浄な空気を体に受けながら、パーティションの壁面を成す植物を眺めることができる癒しの空間となる。そこで、図１１のように、空気浄化装置の正面側の空間に、休憩に利用できる設備３２を設置すると良い。図の設備３２はバーチェアであるが、他の椅子類やテーブル等を設置しても良い。
【００５４】
図１７（Ａ），（Ｂ）は、パーティション型の空気浄化装置のさらに異なる例を示す。この空気浄化装置は、土壌層６が上下３つの区画に分かれていて、土壌層６の下段部分および上段部分は通気層１０と連通し、中段部分は仕切り板４０により通気層１０と仕切られている。通気層１０の上下中間部に送風機３が設けられ、この送風機３を駆動することで、土壌層６の下段部分の正面側から空気を吸い込み、その空気が、通気層１０内を下から上へ流れ、土壌層６の上段部分の正面側に吹き出される。
なお、土壌層６の上・中・下段の区分は説明の便宜上のものであり、実際に区分されている訳ではない。このため、土壌層６の上部に灌水を施すことで、土壌層６の下部まで水を行き渡らせることができる。
【００５５】
図１７（Ａ）の例は、土壌層６の下段部分と通気層１０との境界部、および土壌層６の上段部分と通気層１０との境界部にそれぞれ光触媒フィルター１１が設けられていると共に、これらの各光触媒フィルター１１に対向して紫外線灯１２が設けられている。また、図１７（Ｂ）の例は、通気層１０の上下中央部に複数の光触媒フィルター１１が設けられていると共に、これら複数の光触媒フィルター１１の間に紫外線灯１２が設けられている。図１７（Ａ），（Ｂ）のいずれについても、光触媒フィルター１１は送風手段３Ａによる通気方向と交差する層状である。
【００５６】
この構成によると、送風手段３Ａで通気を行うことにより土壌層６の下段部分、光触媒フィルター１１、土壌層６の上段部分の順に空気が流れ、その過程で空気が浄化される。空気が土壌層６の下段部分、および光触媒フィルター１１を通過した段階で、臭い成分が完全に除去され無臭化されている。このため、上段部分で空気の流れが光触媒フィルター１１→土壌層６というように逆になっているが、そのことが問題にならない。この構成であると、空気を吸い込む空間と吹き出す空間が同じでありながら、緑化面を広くとることができる。
【００５７】
図１７（Ａ），（Ｂ）は、通気層１０内に光触媒フィルター１１および紫外線灯１２を設置した例を示すが、これら光触媒フィルター１１および紫外線灯１２を土壌層６の外側に設置しても良い（図示せず）。
【００５８】
図１８（Ａ），（Ｂ）は、隣合う２つの空気浄化ユニット３０の通気層１０同士を互いに連通した例を示す。
図１８（Ａ）では、２つの空気浄化ユニット３０が共に同じ向きを向いており、図の下側の空気浄化ユニット３０の土壌層６から空気を吸い込み、図の上側の空気浄化ユニット３０の土壌層６から空気を吐き出す。この場合、図１７の例と同様に、空気を吸い込む空間と吹き出す空間が同じでありながら、緑化面を広くとることができる。
図１８（Ｂ）では、２つの空気浄化ユニット３０が互いに逆を向いており、図の上側の空気浄化ユニット３０の土壌層６から空気を吸い込み、図の下側の空気浄化ユニット３０の土壌層６から空気を吐き出す。この場合、空気を吸い込む空間と吹き出す空間を異ならせることができる。
【符号の説明】
【００５９】
３…送風機
３Ａ…送風手段
６…土壌層
７…植物
１０…通気層
１１…光触媒フィルター
１２…紫外線灯
１４…カバー部材
３０…空気浄化ユニット
【図１】
0006636291.tif 000005
【図２】
0006636291.tif 000006
【図３】
0006636291.tif 000007
【図４】
0006636291.tif 000008
【図５】
0006636291.tif 000009
【図６】
0006636291.tif 000010
【図７】
0006636291.tif 000011
【図８】
0006636291.tif 000012
【図９】
0006636291.tif 000013
【図１０】
0006636291.tif 000014
【図１１】
0006636291.tif 000015
【図１２】
0006636291.tif 000016
【図１３】
0006636291.tif 000017
【図１４】
0006636291.tif 000018
【図１５】
0006636291.tif 000019
【図１６】
0006636291.tif 000020
【図１７】
0006636291.tif 000021
【図１８】
0006636291.tif 000022